(57)【要約】【課題】遮音性能が高い床構造を好適に構築できる建物の床構造を提供する。【解決手段】建物の床構造は、複数の床ユニット２０により構成されている。床ユニット２０は、互いに間隔をあけて並べられ、かつ同じ方向に延びるように配置された複数の根太フレーム２６と、根太フレーム２６の長手方向に交差して掛け渡された受け部材４０と、根太フレーム２６及び受け部材４０の上に固定された板状の床下地材２７と、複数の根太フレーム２６の間において、受け部材４０に載置された状態で、上面が床下地材２７の底面に重ね合わせられた遮音部材４５と、を備えている。【選択図】      図３
2015014095.tif 000002
【特許請求の範囲】
【請求項１】
互いに間隔をあけて並べられ、かつ同じ方向に延びるように配置された複数の床根太と、
前記床根太の長手方向に交差して掛け渡された受け部材と、
前記床根太及び前記受け部材の上に固定された板状の床下地材と、
前記複数の床根太の間において、前記受け部材に載置された状態で、上面が前記床下地材の底面に重ね合わせられた遮音部材と、
を備えることを特徴とする建物の床構造。
【請求項２】
前記受け部材は、前記床根太の長手方向に直交する方向であって、隣り合う前記床根太の間に前記遮音部材を介在させるための凹状部を有しており、
前記遮音部材は前記床下地材からの荷重を受けて圧縮変形される材料で形成されており、その厚さ寸法は、前記凹状部の深さ寸法よりも大きく形成されている請求項１に記載の建物の床構造。
【請求項３】
前記受け部材は、前記床根太の上面に置かれる載置部を有しており、前記載置部は、前記床根太に前記床下地材が固定された状態で、前記床根太の上面と前記床下地材の底面との間に挟まれている請求項１又は２に記載の建物の床構造。
【請求項４】
前記床根太を構成する複数の根太フレームを有するフレーム部を備え、そのフレーム部の上に前記床下地材が固定されてなる複数の床ユニットを用い、それら複数の床ユニットが横並びに配置され、各床ユニットの前記根太フレーム同士が連結されている建物の床構造であって、
前記床ユニットにおいて、前記受け部材は、前記複数の根太フレームのうち少なくともフレーム並び方向の側部に位置する根太フレームを含む２つの根太フレームに架け渡し載置されており、
隣り合う前記床ユニットでは、各受け部材が前記床根太の長手方向にずらした位置に載置されている請求項１〜３のいずれか１項に記載の建物の床構造。
【請求項５】
前記床ユニットにおいて、前記複数の根太フレームのうちフレーム並び方向の側部に位置する根太フレームに前記受け部材が載置されるとともに、その受け部材の一部が前記床下地材の側方にはみ出ている請求項４に記載の建物の床構造。
【請求項６】
前記受け部材は、前記床根太の長手方向に沿って複数個配置されるものであって、長手方向に直交する方向に隣り合う前記受け部材は、長手方向に互いに所定間隔をあけて配置される請求項１〜５のいずれか１項に記載の建物の床構造。
【請求項７】
前記遮音部材は、前記床根太の長手方向に沿って配置されている複数の受け部材のうち、少なくとも２つの受け部材に掛け渡される請求項６に記載の建物の床構造。
【発明の詳細な説明】
【技術分野】
【０００１】
本発明は、建物の床構造に関する。
【背景技術】
【０００２】
住宅等の建物において、床部の遮音性能を高める構成として、床部内に音の伝達を遮ることが可能な遮音部材を設ける技術が提案されている。例えば特許文献１には、互いに横並びに配置された根太及び緩衝層が、上下に対向する一対の板状の硬質層の間に設けられ、上側の硬質層の上に床仕上げ材が設けられ、下側の硬質層の下に床下地材が設けられている、という構成が開示されている。この構成では、緩衝層が遮音部材としての役割を果たしている。
【先行技術文献】
【特許文献】
【０００３】
【特許文献１】特開２０１２−１０７３７８号公報
【発明の概要】
【発明が解決しようとする課題】
【０００４】
上記のように床下地材と床仕上材との間に遮音部材が設けられている構成では、床下地材に対する床仕上材の高さ位置が遮音部材の厚み寸法により規定されることになるため、遮音部材の厚み寸法の分だけ床面が高い位置に設定され、それに伴って天井高が低くなることが懸念される。そこで、遮音部材の厚み寸法に合わせて床下地材の高さ位置を下げることで、天井高が低くならないようにすることが考えられる。しかし、床下地材の高さ位置を下げるには床構造に関する設計を変更する必要があり、設計段階での作業が増大してしまう。
【０００５】
本発明は、上記事情に鑑みてなされたものであり、遮音性能が高い床構造を好適に構築することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の床構造は、互いに間隔をあけて並べられ、かつ同じ方向に延びるように配置された複数の床根太と、床根太の長手方向に交差して掛け渡された受け部材と、床根太及び受け部材の上に固定された板状の床下地材と、複数の床根太の間において、受け部材に載置された状態で、上面が床下地材の底面に重ね合わせられた遮音部材と、を備えることを特徴とする。
【０００８】
第１の発明によれば、床下地材の下方において、遮音部材と床根太とが横並びに交互に配置されるため、床部の高さ方向の制約を受けることなく遮音部材を設けることができるまた、床面材の下面に遮音部材が取り付けられる構成について、床部に関する設計を容易化できる。
【０００９】
しかも、重量のある遮音部材は、受け部材に置くだけで設置が完了されるようになり、床構造の施工性が向上される。
【００１０】
第２の発明の建物の床構造の受け部材は、床根太の長手方向に直交する方向であって、隣り合う床根太の間に遮音部材を介在させるための凹状部を有しており、遮音部材は床下地材からの荷重を受けて圧縮変形される材料で形成されており、その厚さ寸法は、凹状部の深さ寸法よりも大きく形成されていることを特徴とする。
【００１１】
第２の発明によれば、圧縮変形可能な材料で形成し、かつ受け部材の凹状部に搭載される遮音部材の厚さ寸法を、凹状部の深さ寸法よりも大きく形成することで、受け部材上に床下地材を固定した際に、床下地材からの荷重で遮音部材が圧縮される。その為、床下地材の底面に遮音部材が重ね合わせられた際に、床下地材に遮音部材が密着される。これにより、床構造に加えられる床衝撃音の吸収効果をより好適に得ることができる。
【００１２】
第３の発明の建物の床構造の受け部材は、床根太の上面に置かれる載置部を有しており、載置部は、床根太と床下地材とが固定された状態で、床根太の上面と床下地材の底面との間に挟まれていることを特徴とする。
【００１３】
第３の発明によれば、床根太と床下地材との間に受け部材の一部である載置部が挟まれていることにより、床根太上に置かれた受け部材の横ずれの発生を抑えて、ビス打ち等による各部材間の固定作業を容易化できる。
【００１４】
第４の発明の建物の床構造は、床根太を構成する複数の根太フレームを有するフレーム部を備え、そのフレーム部の上に床下地材が固定されてなる複数の床ユニットを用い、それら複数の床ユニットが横並びに配置され、各床ユニットの前記根太フレーム同士が連結されている建物の床構造であって、受け部材は、複数の根太フレームのうち少なくともフレーム並び方向の側部に位置する根太フレームを含む２つの根太フレームに架け渡し載置されており、隣り合う床ユニットでは、各受け部材が前記床根太の長手方向にずらした位置に載置されていることを特徴とする。
【００１５】
第４の発明によれば、受け部材を、複数の根太フレームのうち、少なくともフレーム並び方向の側部に位置する根太フレームを含む２つの根太フレームに架け渡し載置する。そして隣り合う床ユニットを連結する際に、各床ユニットの受け部材の位置を、長手方向にずらして交互に配置する。これにより、隣り合う床ユニット同士を連結する際に、各床ユニットが持つ受け部材同士の干渉を回避できる。
【００１６】
第５の発明の建物の床構造は、床ユニットにおいて、複数の根太フレームのうちフレーム並び方向の側部に位置する根太フレームの上に、受け部材が載置されるとともに、その受け部材の一部が床下地材の側方にはみ出て視認可能となっていることを特徴とする。
【００１７】
第５の発明によれば、床ユニットにおいて、受け部材の一部が床下地材の側方にはみ出ているため、床下地材の上側から、フレーム部上に置かれた受け部材の位置を確認しやすくなる。しかも複数の床ユニットを連結する際には、床ユニット間の連結位置と、床下地材の連結位置との間に差が生じるので、隣接する床ユニット間での高さ方向の誤差が緩和される。
【００１８】
第６の発明の建物の床構造において、受け部材は、床根太の長手方向に沿って複数個配置されるものであって、長手方向に直交する方向に隣り合う前記受け部材は、長手方向に互いに所定間隔をあけて配置されることを特徴とする。
【００１９】
第６の発明によれば、床根太の直交方向に複数の受け部材が設けられる場合に、隣り合う受け部材を所定の間隔をあけて配置することで、床構造が持つ床根太の本数に関わらず、受け部材をバランスよく配置できる。また根太フレームに複数の受け部材が掛け渡される場合、隣り合う受け部材間に掛け渡される遮音部材の形状を小型にでき、重量のある遮音部材の取り付け作業を容易化できる。
【００２０】
第７の発明の建物の床構造において、遮音部材は、床根太の長手方向に沿って配置されている複数の受け部材のうち、少なくとも２つの受け部材に掛け渡されていることを特徴とする。
【００２１】
第７の発明によれば、遮音部材は、複数の受け部材に掛け渡して配置されることで、受け部材によって安定して保持される。
【図面の簡単な説明】
【００２２】
【図１】建物の階間部分周辺の構成を示す縦断面図。
【図２】床構造の階間部分の上面図。
【図３】床構造の構成を示す斜視図。
【図４】床構造の設置構成を示す平面図。
【図５】床構造の組立図。
【図６】床構造の組立図。
【図７】床構造の組立図。
【図８】床構造の断面拡大図。
【図９】床構造の変容例の説明図。
【発明を実施するための形態】
【００２３】
〔第１の実施形態〕
以下に、本発明を具体化した一実施の形態について図面を参照しつつ説明する。本実施形態では、建物として枠組壁工法により構築された多層階のスチールハウスについて具体化している。なお、図１は建物における階間部分周辺の構成を示す縦断面図である。
【００２４】
図１に示すように、本実施形態における建物１０は、下階部としての一階部分１１と上階部としての二階部分１２とを有してなる二階建ての建物である。建物１０の一階部分１１及び二階部分１２には、屋外面を形成する外壁パネル１３，１４がそれぞれ設置されており、外壁パネル１３，１４の屋内側に屋内面を形成する内壁材１５，１６がそれぞれ設置されている。
【００２５】
外壁パネル１３，１４は、いずれも屋外面を形成する外壁板３１，３２と、外壁板３１，３２の裏面側（屋内面側）に固定されたフレーム３３，３４とを備えて構成されている。外壁板３１，３２は、例えば耐候性に優れたコンクリートやセラミック等の素材で形成されている。フレーム３３，３４は、例えばスチール等の高剛性金属からなり、略コ字状断面を有する長尺状のフレーム材が矩形枠状に連結されることにより形成されている。
【００２６】
一階部分１１と二階部分１２とは、階間部分１７によって区画されている。階間部分１７は、二階床面と図示を略す一階天井面、それらの間にある各部材によって構成されている。階間部分１７における外周部には、下階の外壁パネル１３と上階の外壁パネル１４との間に中間梁２４が設けられている。例えば、中間梁２４は集成材等の角材よりなり、枠状（四角形状）に連結されている。中間梁２４の屋内側には、図２（建物の階間部分の上面の概略図）に示されるように、二階部分１２の床部を構成する複数の床ユニット２０が横並びに設けられている。以下その詳細について図３及び図４に基づいて説明する。なお、本実施形態の床ユニット２０は、工場においてあらかじめ製造されるようになっており、その後施工現場に運搬され建物１０に設置されるものである。
【００２７】
図３は床ユニット２０の断面構成を示す斜視図であり、図４は２つの床ユニット２０を横並びにした状態を示す平面図である。
【００２８】
床ユニット２０は、所定間隔をおいて同じ方向に延びるように配置された複数の根太フレーム２６、及び根太フレーム２６の長手方向の端部に接続される端根太２１からなるフレーム部３０と、根太フレーム２６の長手方向に交差（直交）するように、複数の根太フレーム２６に掛け渡される受け部材４０と、隣り合う根太フレーム２６の間に介在されるように受け部材４０上に置かれる圧縮変形可能な遮音部材４５と、フレーム部３０及び受け部材４０の上に固定される長方形の板状の床下地材２７と、を備え、これらが一体化されている。
【００２９】
根太フレーム２６は、リップ状のＣ形鋼（リップ溝形鋼）であり、板面が上下方向に延びるウェブ２６ａと、ウェブ２６ａの上下両端部からそれぞれ側方へ延びる上フランジ２６ｂ及び下フランジ２６ｃと、それら各フランジ２６ｂ，２６ｃの先端部から互いに向き合う側に延びる上リップ２６ｄ及び下リップ２６ｅとを有し、上リップ２６ｄと下リップ２６ｅとの間にはリップ溝２６ｆが形成されている。
【００３０】
本実施形態の根太フレーム２６は、側部（フレーム部３０の短手方向の端部）にある２つの根太フレーム２６と、その中間部に位置する一対の根太フレーム２６とから構成されている。その一対の根太フレーム２６は、互いのウェブ２６ａ同士が背中合わせに接続された状態で、床根太２２を形成している。なお、各床ユニット２０を横並びに配置する際に、隣り合う床ユニット２０（フレーム部３０）の側部にあり、隣接する根太フレーム２６同士が、ウェブ２６ａ同士を背中合わせに接続されることで、隣り合う床ユニット２０間を跨ぐ床根太２２が形成される。
【００３１】
端根太２１は、薄板軽量形鋼からなる略コの字状断面を有する長尺状の部材であり、コの字状の開口部に根太フレーム２６を所定間隔で直角方向から差し込み固定することで、根太フレーム２６と端根太２１とを一体化し、フレーム部３０を形成している。
【００３２】
受け部材４０は、フレーム部３０の側部（両側部のうち少なくとも一方）にある根太フレーム２６を含み、少なくとも２つの根太フレーム２６に掛け渡し載置されるよう構成されている。受け部材４０は、根太フレーム２６上に置かれる載置部４１ａと、隣り合う根太フレーム２６間に遮音部材４５を介在させるための凹状部４２とを有しており、アルミニウム等の薄鋼板で形成された長尺状の材料の長手方向が、各根太フレーム２６の外形位置に沿って折り曲げられることによって、これらの載置部４１ａ及び凹状部４２とを形成している。
【００３３】
受け部材４０の載置部４１ａは、根太フレーム２６の上面と床下地材２７の底面との間に挟み込まれている。これにより、受け部材４０を根太フレーム２６にビス止めする際に、根太フレーム２６に対する受け部材４０の横ずれが抑えられて、受け部材４０の取り付け位置が保持される。載置部４１ａは、フレーム部３０の側部に位置する根太フレーム２６に載置される場合、一つの根太フレーム２６の長手方向に直交する方向の幅と等しく形成されている。一方、フレーム部３０の中間部に位置する一対の根太フレーム２６（床根太２２）に載置される場合、一対の根太フレーム２６の長手方向に直交する方向の幅と等しく形成されている。
【００３４】
凹状部４２は、受け部材４０の長手方向が、床根太２２の上リップ２６ｄに沿って略垂直に下方向に折り曲げられて、その折り曲げ位置から所定の深さ寸法ｄ１の位置で、対向する根太フレーム２６に向けて更に垂直方向に折り曲げられることで形成されている。これにより、根太フレーム２６と凹状部４２とが横並びに交互に配置される。その為、凹状部４２に遮音部材４５が載置された際に、床根太２２と遮音部材４５とが横並びに交互に配置される為、床面高さを変えることなく防音効果を得ることができる。
【００３５】
また隣り合う根太フレーム２６間に凹状部４２が隙間無く形成されるようにすることで、根太フレーム２６間に遮音部材４５が隙間無く配置され、防音効果をより効果的に得ることができる。
【００３６】
凹状部４２の深さ寸法は、非圧縮状態での遮音部材４５の厚さ寸法よりも小さい（浅い）ことが好ましい。これにより、凹状部４２に圧縮変形可能な遮音部材４５が置かれ、更に遮音部材４５上に床下地材２７が置かれることで、圧縮変形された遮音部材４５が凹状部４２内に隙間無く充填される。
【００３７】
なお受け部材４０は、遮音部材４５を保持できる強度を有する肉厚及び幅ｄ３（長手方向の幅）で形成される。例えば、受け部材４０は、肉厚×幅ｄ３＝１．２ｍｍ×２００ｍｍに形成される。なお受け部材４０の肉厚は、根太フレーム２６と床下地材２７との間の隙間を抑制することを考慮して、遮音部材４５を保持可能な程度に出来るだけ薄く形成されることが好ましい。
【００３８】
また図４に示されるように、根太フレーム２６の長手方向に沿って、所定の間隔ｄ４をあけて複数個の受け部材４０が配設されることが好ましい。例えば根太フレーム２６の長手方向に沿って、間隔ｄ４＝６００ｍｍをあけて受け部材４０が配置される。根太フレーム２６に複数の受け部材４０を配置すると、隣り合う受け部材４０間（凹状部４２間）に掛け渡される遮音部材４５の長さを短くでき、重量のある遮音部材４５の取り付け作業の負荷の軽減に繋がる。
【００３９】
また、中間梁２４に複数の床ユニット２０を敷き詰めた際に、隣り合う床ユニット２０に設けられた受け部材４０同士が干渉することを避けるため、隣接する床ユニット２０間では、受け部材４０が交互に配置されるように、その取り付け位置が決定されることが好ましい。例えば、隣接する床ユニット２０の受け部材４０の取り付け位置を、根太フレーム２６の長手方向に幅ｄ３（受け部材４０の長手方向の長さ分）ずらした位置とする。これにより、中間梁２４に複数の床ユニット２０を隣接して配設する際に、隣接する床ユニット２０間で、受け部材４０が長手方向に交互に（千鳥状に）配置されるようになり、互いの受け部材４０が干渉することが好適に回避される。
【００４０】
遮音部材４５は、床下地材２７よりも高い比重を有する材料で、凹状部４２の形状に合わせて、長方形の板状に形成されている。例えば、遮音部材４５は、二階床面に加えられる床衝撃音（重量床衝撃音、軽量床衝撃音）のうち軽量床衝撃音が減衰されやすくするために、ゴム系のシート材で形成される。これ以外にも遮音部材４５は、床下地材２７からの荷重を受けて圧縮変形される材料で形成されることが好ましく、例えば、塩ビ系のシート材、木質系ボード等の材料で形成されても良い。
【００４１】
なお重量床衝撃音は、子供が二階床面の上で飛び跳ねたり走り回ったりした場合などに生じる比較的低い音であり、音（振動）が加えられた加振点から広範囲に広がりやすい。軽量床衝撃音は、スプーンなどの物品を二階床面の上に落とした場合などに生じる比較的高い音であり、加振点から広がる範囲が重量床衝撃音に比べて小さい。
【００４２】
なお上述したように、遮音部材４５を圧縮変形可能な材料で形成した場合、遮音部材４５の厚さ寸法ｄ２が、凹状部４２の深さ寸法ｄ１よりも大きいことで、遮音部材４５を凹状部４２に載置した際に、その遮音部材４５の上面が受け部材４０の上面（天端）よりも上側となる。例えば、遮音部材４５の上面は、受け部材４０の上面よりも１ｍｍ大きく（高く）なる。その為、遮音部材４５上に床下地材２７を置いた際に、遮音部材４５の高さ方向が圧縮されて、床下地材２７の底面に密着されるようになる。
【００４３】
床下地材２７は、長方形状の板材よりなり、例えば合板やパーティクルボード等で形成される。床下地材２７は、その短手方向の幅と長手方向の長さとが、フレーム部３０の短手方向の幅と長手方向の長さと、それぞれ、ほぼ同じ寸法に設定されている。また本実施形態では、床下地材２７の短手方向の端部が、フレーム部３０の側部に対して幅ΔＤずれた位置となるように、フレーム部３０に対する床下地材２７の取り付け位置が決定されている。フレーム部３０に対して床下地材２７が所定の幅ΔＤずれた状態で置かれることによって、フレーム部３０の側部にある根太フレーム２６上に掛け渡された受け部材４０（載置部４１ａ）の一部が、床下地材２７の側方からはみ出るようになる。これによって、床下地材２７側から受け部材４０の位置を確認できるようになる。これにより、ビス止めによる固定箇所（受け部材４０の位置）が特定されやすくなり、固定作業の容易化に繋がる。
【００４４】
また床下地材２７をフレーム部３０に対して所定の幅ΔＤずらして設置することによって、中間梁２４内に複数の床ユニット２０を隣接して配置していく際に、隣接する床ユニット２０間の床下地材２７の境界位置と、床根太２２の境界位置とに幅ΔＤの差が生じることになり、隣り合う床ユニット２０間の上下方向の取り付け誤差（段差）を、抑えることができるようになる。
【００４５】
なおフレーム部３０上に床下地材２７が固定された後、各床下地材２７上を跨ぐようにして床仕上げ材３７が敷設される。
【００４６】
次に、図５〜図８を参照しつつ、床ユニット２０の組み立て手順を説明する。なお図５〜図７では、説明の簡便のためにフレーム部３０の側部にある根太フレーム２６と、フレーム部３０の中間部にある一対の根太フレーム２６との間の構成を示している。
【００４７】
まず工場で、根太フレーム２６の長手方向の両端が、それぞれ端根太２１に固定されて、フレーム部３０が形成される。このとき、フレーム部３０の両側部にある根太フレーム２６は、それぞれウェブ２６ａが外側となるように、端根太２１に固定される。フレーム部３０の中間部にある根太フレーム２６は、予め一対の根太フレーム２６のウェブ２６ａ同士が背中合わせに接続されて、端根太２１に固定されている。
【００４８】
図５に示されるように、フレーム部３０が形成された状態で、その上面に受け部材４０が置かれる。このとき、各根太フレーム２６上に載置部４１ａが置かれ、隣り合う根太フレーム２６の間に凹状部４２が位置される。この状態で、受け部材４０の載置部４１ａが根太フレーム２６にビス止めで固定される。なお図４に示されるように、受け部材４０は、根太フレーム２６の長手方向に沿って所定間隔で複数配置されており、それぞれがビス止めによってフレーム部３０に固定される。
【００４９】
次に図６に示されるように、凹状部４２に遮音部材４５が載置される。ここでは遮音部材４５は、根太フレーム２６の長手方向に隣り合う２つの受け部材４０に掛け渡し載置されている（図４参照）。この際、遮音部材４５の上面に両面テープや接着剤等を付けておき、それにより遮音部材４５を床下地材２７の下面に接着する構成としてもよい。
【００５０】
その後、図７に示されるように、フレーム部３０の上に床下地材２７を載せる。このとき、図８の断面拡大図（図６のＡ−Ａ線断面図）に示されるように、凹状部４２の深さ寸法ｄ１よりも遮音部材４５の厚さ寸法ｄ２が大きいことで、遮音部材４５は床下地材２７の荷重で圧縮されて、床下地材２７の底面に重ね合わせられる（弾性変形した遮音部材４５が床下地材２７の底面に密着される）。
【００５１】
また床下地材２７は、その短手方向の端部が、フレーム部３０の側部から幅ΔＤずれた位置となるようにフレーム部３０に置かれる。これにより床下地材２７の表面側から、受け部材４０の固定位置を容易に確認できる。そして受け部材４０の位置に合わせて、床下地材２７の上側からビス止めをすることで、フレーム部３０、受け部材４０、遮音部材４５及び床下地材２７が一体化されて床ユニット２０が完成される。
【００５２】
次に床ユニット２０の組み付け工程の概略を説明する。
【００５３】
組み立てが完成された床ユニット２０と床仕上げ材３７とは、トラックの荷台に積載されて、建物の建築現場に運搬される。建築現場では、中間梁２４の屋内側で、隣り合う床ユニット２０の側部にある根太フレーム２６のウェブ２６ａ同士が、互いに背中合わせとなるように、床ユニット２０が横並びに配置される。なお、床ユニット２０の側部にある根太フレーム２６のうち、中間梁２４側に位置する根太フレーム２６のウェブ２６ａは中間梁２４に固定される。また、隣り合う床ユニット２０において、その長手方向の端部同士（端根太２１同士）の境界部は、下階の間仕切壁の上端面に載せて固定されてもよい。中間梁２４の内側に床ユニット２０が敷き詰められたら、床下地材２７の上に床仕上げ材３７を敷設する。
【００５４】
以上、詳述した本実施形態の構成によれば、以下の優れた効果が得られる。
【００５５】
床下地材の下方において、遮音部材４５と床根太２２とが横並びに交互に配置されるため、床部の高さ方向の制約を受けることなく遮音部材４５を設けることができる。また、床面材の下面に遮音部材４５が取り付けられる構成について、床部に関する設計を容易化できる。
【００５６】
しかも、重量のある遮音部材４５は、受け部材４０に置くだけで設置が完了されるようになり、床構造の施工性が向上される。
【００５７】
以上により、遮音性能が高い床構造を好適に構築することができる。
【００５８】
圧縮変形可能な材料で形成し、かつ受け部材４０の凹状部４２に搭載される遮音部材４５の厚さ寸法ｄ２を、凹状部４２の深さ寸法ｄ１よりも大きく形成することで、受け部材４０上に床下地材２７を固定した際に、床下地材２７からの荷重で遮音部材４５が圧縮される。その為、床下地材２７の底面に遮音部材が重ね合わせられた際に、床下地材に遮音部材が密着される。これにより、床構造に加えられる床衝撃音の吸収効果を好適に得ることができる。
【００５９】
床根太２２と床下地材２７との間に受け部材４０の一部である載置部４１ａが挟まれていることにより、床根太上に置かれた受け部材４０の横ずれの発生を抑えて、ビス打ち等による各部材間の固定作業を容易化できる。
【００６０】
受け部材４０を、複数の根太フレーム２６のうち、少なくともフレーム並び方向の側部に位置する根太フレーム２６を含む２つの根太フレーム２６に、架け渡し載置する。そして隣り合う床ユニット２０を連結する際に、各床ユニット２０の受け部材４０の位置を、長手方向にずらして交互に配置するこれにより、隣り合う床ユニット２０同士を連結する際に、各床ユニット２０が持つ受け部材４０同士の干渉を回避できる。
【００６１】
床ユニット２０において、受け部材４０の一部が床下地材２７の側方にはみ出ているため、床下地材２７の上側から、フレーム部３０上に置かれた受け部材４０の位置を確認しやすくなる。しかも複数の床ユニット２０を連結する際には、床ユニット２０間の連結位置と、床下地材２７の連結位置との間に差が生じるので、隣接する床ユニット２０間での高さ方向の誤差が緩和される。
【００６２】
床根太２２の直交方向に複数の受け部材４０が設ける場合に、隣り合う受け部材４０を所定の間隔をあけて配置することで、床ユニット２０が持つ床根太２２の本数に関わらず、受け部材４０をバランスよく配置できる。また根太フレーム２６に複数の受け部材４０が掛け渡される場合、隣り合う受け部材４０の間に掛け渡される遮音部材４５の形状を小型にでき、重量のある遮音部材４５の取り付け作業を容易にできる。
【００６３】
遮音部材４５は、複数の受け部材４０に掛け渡して配置されることで、受け部材４０によって安定して保持される。
〔他の実施形態〕
本発明は上記実施形態の記載内容に限定されず、例えば次のように実施されてもよい。
【００６４】
・図９の床構造の変容例に示されるように、フレーム部３０の側部に床下地材２７の端部が一致するように載置した状態で、載置部４１ａが床下地材２７の側方にはみ出るようにする。そして側方にはみ出た載置部４１ａの先端側が、上方向（床下地材２７側）に折り曲げられるようにする。これにより、床下地材２７の側方から延びる載置部４１ａの一部が、床ユニット２０に床下地材２７を固定する際の目印となる。また折り曲げられた載置部４１ａの先端側が、床下地材２７の側方に位置されることで、フレーム部３０に床下地材２７を固定する際に、フレーム部３０に対する床下地材２７の横方向（長手方向に直交する方向）の位置ずれが抑えられるようになる。その為、フレーム部３０に対する床下地材２７固定作業を容易に且つ精度よく行なうことができる。
【００６５】
・床ユニット２０の長手方向に沿って受け部材４０を交互に（千鳥状に）配置する場合には、長手方向に隣り合う受け部材４０同士の間隔をあけずに配置してもよい。この場合には、遮音部材４５が安定して保持されやすくなる。
【００６６】
・受け部材４０の受け面（凹状部４２の受け面）に、遮音部材４５の位置ずれを防止するための突起を形成しても良い。突起によって、凹状部４２上に置かれた遮音部材４５を安定して保持できる。
【００６７】
・受け部材４０は、少なくとも隣接する２つの床根太２２に掛け渡されるように形成されていればよく、少なくとも一つの凹状部４２を有していればよい。
【００６８】
・上記では全ての各凹状部４２に隙間無く遮音部材４５を載置する例を示したが、遮音部材４５は、各部屋の用途に応じて配置の有無が決定されてもよい。
【００６９】
・受け部材４０によって掛け渡される根太フレーム２６の本数よりも、床ユニット２０が持つ根太フレーム２６の本数が多い場合には、横並びに配置された根太フレーム２６に受け部材４０が連続して掛け渡されるようにしてもよい。例えば、受け部材４０が千鳥状に交互に配置されるようにする。これ以外にも、受け部材４０は、床ユニット２０が持つ全部の根太フレーム２６に掛け渡される形状であってもよい。
【００７０】
・床ユニット２０として、各床根太２２の下面に跨って配置される天井材を含むようにしてもよい。例えば、天井材は、床根太２２に固定された図番号を略す支持具によって吊り下げられた状態で配設される。
【００７１】
・上記では、受け部材４０を鋼板の折り曲げ加工にて形成する例を示した。これ以外にも受け部材４０は樹脂成型や、金属成型にて形成できる。
【００７２】
・上記では、スチールハウスに用いる床ユニット２０を想定したが、これ以外に、軸組工法の建物や、ユニット工法の建物等、階層構造を有する他の構造の建築物に適用できる。
【００７３】
・遮音部材は、軽量床衝撃音を吸収できる非圧縮変形の材料で形成しても良い。例えば、アスファルトに鉄粉を混合した材料、アルミ等の金属シート、石膏ボード、アスファルト系のシート材等で形成してもよい。この場合には、遮音部材４５の厚さ寸法ｄ２は、凹状部４２の深さ寸法ｄ１と同じか、深さ寸法ｄ１よりも小さくなるように形成する（ｄ２≦ｄ１）。これによりフレーム部３０に床下地材２７が隙間なく固定される。
【００７４】
・遮音部材４５は３つ以上の凹状部４２を介して保持されてもよい。複数の受け部材４０によって保持されることで、遮音部材４５の取り付け状態がより安定して維持される。
【００７５】
・第１フレーム上での受け部材４０の取り付け位置は、図示を略す位置決め治具を用いて決定してもよい。例えば位置決め治具は、根太フレーム２６の長手方向に隣り合う受け部材４０の間隔に合わせて長方形状に形成されている。例えば根太フレーム２６上での受け部材４０の取り付け位置を１箇所決定した後、その箇所に位置決め治具の一端を合わせることで、他端が次の受け部材４０を置く位置に合わせられる為、より簡単に受け部材４０の位置決めを行なうことができる。同様に、床下地材２７の上側からビス止めを行う際にも、床下地材２７の表面側から受け部材４０の位置を１箇所確認して、その位置でのビス止めを完了する。その後、そのビス止め箇所に、位置決め治具の一端を合わせることで、他端が次のビス止め箇所に簡単に合わせられるようになる。
【００７６】
・根太フレーム２６上においては、受け部材４０が載置されていない部分で、受け部材４０の材料の厚み分だけ、隙間が生じることも考えられる。そこで、その隙間を埋めるための板状のスペーサを、根太フレーム２６に設けても良い。つまり、根太フレーム２６上に受け部材４０とスペーサとが交互に配置されるようにしてもよい。
【００７７】
・図４では、床面方向において、端根太２１と受け部材４０との間に間隔がある場合に、遮音部材４５が載置されない隙間が設けられる例が示されている。これ以外にも、床面方向において、端根太２１と受け部材４０との間に間隔がある場合に、その端根太２１と受け部材４０との間隔の位置に遮音部材４５が配置されるようにしてもよい。この場合、端根太２１と受け部材４０の間の位置で、遮音部材４５が床下地材２７にビス止めで固定されることで、遮音部材４５が床下地材２７の底面側で保持されるようにしてもよい。
【符号の説明】
【００７８】
１０…建物、２０…床ユニット、２２…床根太、２６…根太フレーム、２７…床下地材、３０…フレーム部、４０…受け部材、４１ａ…載置部、４２…凹状部、４５…遮音部材、ｄ１…深さ寸法、ｄ２…厚さ寸法。
【図１】
2015014095.tif 000003
【図２】
2015014095.tif 000004
【図３】
2015014095.tif 000005
【図４】
2015014095.tif 000006
【図５】
2015014095.tif 000007
【図６】
2015014095.tif 000008
【図７】
2015014095.tif 000009
【図８】
2015014095.tif 000010
【図９】
2015014095.tif 000011